(57)【特許請求の範囲】
【請求項１】
電子機器に対応して設けられたタッチパネル入力装置であって、
タッチ操作によりタッチパネルから入力される軌跡データを検出する検出手段と、
前記検出手段により検出された軌跡データにおける入力開始位置及びリリース位置がそれぞれ前記タッチパネルの右領域であるか又は左領域であるかを判断する判断手段と、
前記電子機器の動作指示を行うコマンドと、軌跡データのパターンであって前記タッチパネルにおける入力開始位置が含まれる領域及びリリース位置が含まれる領域が特定されてなる軌跡データパターンとを１対１で対応付けて記憶する記憶手段と、
前記記憶手段に記憶されたコマンド及び軌跡データパターンを参照し、前記検出手段による検出結果及び前記判断手段による判断結果に基づいて前記タッチパネルから入力された軌跡データと一致する軌跡データパターンを検出するとともに、該軌跡データパターンに対応付けられたコマンドを読み出す読出手段と、
前記読出手段により読み出されたコマンドを前記電子機器に出力する出力手段と、
を備えたことを特徴とするタッチパネル入力装置。
【請求項２】
前記読出手段は、
前記軌跡データの入力開始位置及びリリース位置が所定の領域内で一致する場合、タッチ入力が点であると検出してこれに対応する所定のコマンドを読み出すことを特徴とする請求項１記載のタッチパネル入力装置。
【請求項３】
タッチパネルを用いて動作指示を行うオーディオ装置であって、
タッチ操作により前記タッチパネルから入力される軌跡データを検出する検出手段と、
前記検出手段により検出された軌跡データにおける入力開始位置及びリリース位置がそれぞれ前記タッチパネルの右領域であるか又は左領域であるかを判断する判断手段と、
当該オーディオ装置の動作指示を行うコマンドと、軌跡データのパターンであって前記タッチパネルにおける入力開始位置が含まれる領域及びリリース位置が含まれる領域が特定されてなる軌跡データパターンとを１対１で対応付けて記憶する記憶手段と、
前記記憶手段に記憶されたコマンド及び軌跡データパターンを参照し、前記検出手段による検出結果及び前記判断手段による判断結果に基づいて前記タッチパネルから入力された軌跡データと一致する軌跡データパターンを検出するとともに、該軌跡データパターンに対応付けられたコマンドを読み出す読出手段と、
前記読出手段により読み出されたコマンドを出力する出力手段と、
を備え、
前記出力手段から出力されたコマンドに基づいて当該オーディオ装置の動作制御を行うことを特徴とするオーディオ装置。
【請求項４】
電子機器に対応して設けられたタッチパネル入力装置における入力方法であって、タッチ操作によりタッチパネルから入力される軌跡データを検出する検出工程と、前記検出工程により検出された軌跡データにおける入力開始位置及びリリース位置がそれぞれ前記タッチパネルの右領域であるか又は左領域であるかを判断する判断工程と、前記電子機器の動作指示を行うコマンドと１対１で対応付けて記憶された軌跡データのパターンであって前記タッチパネルにおける入力開始位置が含まれる領域及びリリース位置が含まれる領域が特定されてなる軌跡データパターンを参照し、前記検出工程による検出結果及び前記判断工程による判断結果に基づいて前記タッチパネルから入力された軌跡データと一致する軌跡データパターンを検出するとともに、該軌跡データパターンに対応付けられたコマンドを読み出す読出工程と、前記読み出されたコマンドを前記電子機器に出力する出力工程と、を含むことを特徴とする入力方法。
【発明の詳細な説明】
【０００１】
【発明の属する技術分野】
本発明は、タッチパネル上を指やペン等で押圧してタッチしたときに、そのときのタッチ操作の軌跡を検出するタッチパネル入力装置、及び入力方法に関する。
【０００２】
【従来の技術】
従来、カーオーディオ等でＣＤ（Compact Disc）やＭＤ（Mini Disc）等の再生、停止、曲送り等のコマンドを実行する際、タッチパネルの表面を複数の領域に分割し、分割された領域毎に形状の異なる凹凸が形成されたタッチパネル入力装置が考案されている。このようなタッチパネル入力装置によれば、操作部を目視しなくても、指の感触を使って入力を行うことができる。
【０００３】
また、図６に示すように、表面が平面であるタッチパネルの表示画面５１に各種コントロールボタン５２を表示させ、このコントロールボタン５２を押圧することによってコマンドの入力を行うタッチパネル入力装置も考案されている。
【０００４】
【発明が解決しようとする課題】
しかしながら、上記のようなタッチパネル入力装置では、目視せずに操作を行うと、目的とする入力を正確に行うことが難しく、例えば再生したつもりが曲送りをしてしまうというような誤操作をすることが多く、目視せずに操作を行うことが困難であった。また、指の感触を使って入力する場合は、複数の領域の凹凸を指で触ることにより確認してから入力を行わなければならず、面倒であった。また、カーオーディオに接続されたタッチパネル入力装置においては、ユーザは運転をしながら操作を行わなければならず、運転中にタッチパネルの表示画面を見ながら操作を行うと、運転に支障をきたすという問題があった。
【０００５】
そこで、本発明の課題は、タッチパネルを目視せずに適確な入力を行うことができるタッチパネル入力装置、オーディオ装置及び入力方法を提供することである。
【０００６】
【課題を解決するための手段】
本発明は、上記課題を解決するため、以下のような特徴を備えている。
【０００７】
本発明は、電子機器に対応して設けられたタッチパネル入力装置であって、タッチ操作によりタッチパネルから入力される軌跡データを検出する検出手段と、前記検出手段により検出された軌跡データにおける入力開始位置及びリリース位置がそれぞれ前記タッチパネルの右領域であるか又は左領域であるかを判断する判断手段と、前記電子機器の動作指示を行うコマンドと、軌跡データのパターンであって前記タッチパネルにおける入力開始位置が含まれる領域及びリリース位置が含まれる領域が特定されてなる軌跡データパターンとを１対１で対応付けて記憶する記憶手段と、前記記憶手段に記憶されたコマンド及び軌跡データパターンを参照し、前記検出手段による検出結果及び前記判断手段による判断結果に基づいて前記タッチパネルから入力された軌跡データと一致する軌跡データパターンを検出するとともに、該軌跡データパターンに対応付けられたコマンドを読み出す読出手段と、前記読出手段により読み出されたコマンドを前記電子機器に出力する出力手段と、を備えたことを特徴としている。
本発明において、前記読出手段は、前記軌跡データの入力開始位置及びリリース位置が所定の領域内で一致する場合、タッチ入力が点であると検出してこれに対応する所定のコマンドを読み出すことが好ましい。
また、本発明は、タッチパネルを用いて動作指示を行うオーディオ装置であって、タッチ操作により前記タッチパネルから入力される軌跡データを検出する検出手段と、前記検出手段により検出された軌跡データにおける入力開始位置及びリリース位置がそれぞれ前記タッチパネルの右領域であるか又は左領域であるかを判断する判断手段と、当該オーディオ装置の動作指示を行うコマンドと、軌跡データのパターンであって前記タッチパネルにおける入力開始位置が含まれる領域及びリリース位置が含まれる領域が特定されてなる軌跡データパターンとを１対１で対応付けて記憶する記憶手段と、前記記憶手段に記憶されたコマンド及び軌跡データパターンを参照し、前記検出手段による検出結果及び前記判断手段による判断結果に基づいて前記タッチパネルから入力された軌跡データと一致する軌跡データパターンを検出するとともに、該軌跡データパターンに対応付けられたコマンドを読み出す読出手段と、前記読出手段により読み出されたコマンドを出力する出力手段と、を備え、前記出力手段から出力されたコマンドに基づいて当該オーディオ装置の動作制御を行うことを特徴としている。
【０００８】
また、本発明は、電子機器に対応して設けられたタッチパネル入力装置における入力方法であって、タッチ操作によりタッチパネルから入力される軌跡データを検出する検出工程と、前記検出工程により検出された軌跡データにおける入力開始位置及びリリース位置がそれぞれ前記タッチパネルの右領域であるか又は左領域であるかを判断する判断工程と、前記電子機器の動作指示を行うコマンドと１対１で対応付けて記憶された軌跡データのパターンであって前記タッチパネルにおける入力開始位置が含まれる領域及びリリース位置が含まれる領域が特定されてなる軌跡データパターンを参照し、前記検出工程による検出結果及び前記判断工程による判断結果に基づいて前記タッチパネルから入力された軌跡データと一致する軌跡データパターンを検出するとともに、該軌跡データパターンに対応付けられたコマンドを読み出す読出工程と、前記読み出されたコマンドを前記電子機器に出力する出力工程と、を含むことを特徴としている。
【０００９】
【発明の実施の形態】
以下、図１〜図５を参照して、本発明に係るタッチパネル入力装置１００の実施の形態について詳細に説明する。
【００１０】
まず、構成を説明する。
図１は、本発明の一実施の形態によるタッチパネル入力装置１００の構成を示す概略ブロック図である。図１に示すように、タッチパネル入力装置１００は、マイクロコントローラ１、タッチパネル２、マイクロコントローラ１及びタッチパネル２を接続するドライバ３、ＲＳ２３２Ｃドライバ／レシーバ４、により構成される。また、ＲＳ２３２Ｃドライバ／レシーバ４には、ＲＳ２３２Ｃケーブル３０を介してカーオーディオ５が接続されている。
【００１１】
マイクロコントローラ１は、タッチパネル２と、ドライバ３と、ＲＳ２３２Ｃドライバ／レシーバ４と、夫々ケーブルにより接続されており、後述する信号制御処理等の各種処理を実行する。信号制御処理において、マイクロコントローラ１は、ドライバ３を介してタッチパネル２に出力パルスを送出する。また、出力パルスに対する応答パルス、即ちタッチパネル２上の各座標におけるタッチ入力データをタッチパネル２より入力され、この応答パルスを処理し、これにより得られる、カーオーディオ５に対するコマンドのデータをＲＳ２３２Ｃドライバ／レシーバ４に送出する、という一連の動作を繰り返し実行する。
【００１２】
タッチパネル２は、マイクロコントローラ１及びドライバ３と、ケーブルにより接続される。タッチパネル２は、抵抗膜シートであり、その上にｎ×ｍ（ｎ，ｍは整数）の格子状接点（座標）が設けられた表示画面２１を備え、各座標からの信号を、出力パルスに対する応答パルスとして、マイクロコントローラ１に送出する。例えば、表示画面２１のある座標Ａが押圧されると、その押圧された座標Ａの応答パルスの信号形態は、押圧されていない座標Ｂの応答パルスの信号形態と異なる。これにより、応答パルスを入力されるマイクロコントローラ１は、表示画面２１上の押圧された座標、即ちタッチパネル２のタッチ入力された位置を検出する。
【００１３】
図２に示すように、タッチパネル２の表示画面２１は左領域２１Ａと右領域２１Ｂとから成る。表示画面２１の水平方向にはｘ座標、垂直方向にはｙ座標が設定されている。
【００１４】
ドライバ３は、マイクロコントローラ１及びタッチパネル２と、ケーブルにより接続され、マイクロコントローラ１から出力パルスを入力されると、この出力パルスをタッチパネル２が処理可能な信号形態に変換（例えば、電圧レベル等を増幅）し、タッチパネル２に送出する。
【００１５】
ＲＳ２３２Ｃドライバ／レシーバ４は、マイクロコントローラ１から送出されるデータを受信すると、このデータをＲＳ２３２Ｃにて規定された信号形態に変換し、ＲＳ２３２Ｃケーブル３０を介してカーオーディオ５のＲＳ２３２Ｃレシーバ／ドライバ２０に送信する。また、ＲＳ２３２Ｃケーブル３０を介してカーオーディオ５からデータを受信した場合は、このデータをマイクロコントローラ１が処理可能な信号形態に変換し、マイクロコンピュータ１に送信する。
【００１６】
カーオーディオ５は、ＲＳ２３２Ｃレシーバ／ドライバ２０を内蔵しており、このＲＳ２３２Ｃレシーバ／ドライバ２０から、ＲＳ２３２Ｃケーブル３０を介してＲＳ２３２Ｃドライバ／レシーバ４からのデータを入力されると、このデータに従って、ＣＤ（Compact Disc）やＭＤ（Mini Disc）等に記録された曲の再生、停止、曲送り、早送り等を含む各種再生処理を行う。また、マイクロコントローラ１に対する指示データを、ＲＳ２３２Ｃケーブル３０を介してＲＳ２３２Ｃドライバ／レシーバ４に送信する。
【００１７】
次に、マイクロコントローラ１の内部構成について説明する。
マイクロコントローラ１は、ＣＰＵ１１と、このＣＰＵ１１と個別に接続されるＩ／Ｏポート１２と、ＲＯＭ１３と、タイマ１４と、ＵＡＲＴ１５とにより構成され、各部はバスにより接続されている。
【００１８】
ＣＰＵ（Central Processing Unit）１１は、ＲＯＭ１３に格納される各種アプリケーションプログラムを読み出して実行し、マイクロコントローラ１の各部を集中制御する。ＣＰＵ１１は、ＲＡＭ１６を内蔵し、タッチパネル２からマイクロコントローラ１に入力される応答パルスと、タイマ１４から入力される計時終了信号ｓｂ及び計時状態信号ｓｃに従って、当該マイクロコントローラ１内の各部の動作を制御し、処理中や処理結果のデータをＲＡＭ１６に記憶するとともに、ＲＳ２３２Ｃドライバ／レシーバ４へと送出する、信号制御処理を実行する。
【００１９】
ＣＰＵ１１は、信号制御処理において、Ｉ／Ｏポート１２からドライバ３を介して、タッチパネル２に一定タイミングで出力パルスを送出する。これに対するタッチパネル２からの応答パルスがＩ／Ｏポート１２から入力される。ＣＰＵ１１は、応答パルスを受信する度に計時開始信号ｓａをタイマ１４に送信するとともに、タイマ１４から出力される計時終了信号ｓｂ及び計時状態信号ｓｃを受信する。
【００２０】
ここで、計時開始信号ｓａはタイマ１４に対する計時動作の開始を指示する信号であり、計時終了信号ｓｂはタイマ１４による計時動作の終了を表す信号であり、計時状態信号ｓｃは計時動作中または停止中であることを表す信号である。
【００２１】
例えば、ＣＰＵ１１が応答パルスを受信したとき、タイマ１４から入力される計時状態信号ｓｃが計時停止中を示している場合には、タッチ入力が全くない状態で新たにタッチ入力があった、即ちリリース状態での最初のデータ検知と判断する。このリリース状態での最初のデータ検知があったタッチパネル２上の座標を入力開始位置とする。
【００２２】
一方、計時状態信号ｓｃが計時動作中を示している場合には、今回受信したタッチ入力データは連続的タッチ入力操作の途中である可能性がある。この場合には、ＣＰＵ１１は今回受信したタッチ入力データと前回受信したタッチ入力データとを比較する。これらのデータが一致し、２秒以上データが一致した状態が続いた後にタイマ１４から計時終了信号ｓｂを受信すると、タッチ入力データが点であることを検出する。また、上記のデータが一致しない場合には、タッチ入力データが連続的に入力されたものであることを検出する。以下、ＣＰＵ１１がタイマ１４から計時終了信号ｓｂを受信することを、リリース状態になるという。また、リリース状態となったタッチパネル２上の座標を、リリース位置とする。
【００２３】
また、ＣＰＵ１１は、計時開始信号ｓａをタイマ１４に出力してからタイマ１４より計時終了信号ｓｂを受信するまでの応答パルスを、各応答パルス受信時にタイマ１４から受信する計時状態信号ｓｃとともに内蔵ＲＡＭ１６に記憶する。そして、この記憶したデータを解析し、タッチ入力データのタッチパネル２上における座標を演算し、入力開始位置及びリリース位置がタッチパネル２上のどの領域であるかを判断する。ＣＰＵ１１は、タッチ入力位置のｘ座標がｘ／２未満であれば左領域２１Ａ、ｘ／２より大であれば右領域２１Ｂであると判断する。このようにしてタッチ入力位置を検出すると、この検出結果を元に図３に示すデータ軌跡データテーブルＡを参照し、コマンドを認識し、このコマンドのデータをＵＡＲＴ１５に出力する。
なお、ＣＰＵ１１は、読出手段、出力手段、としての機能を有する。
【００２４】
Ｉ／Ｏポート１２は、ＣＰＵ１１から入力される出力パルスを、ドライバ３を介してタッチパネル２に送信する。また、タッチパネル２から直接入力される応答パルスをＣＰＵ１１に送出する。
【００２５】
ＲＯＭ１３は、ＣＰＵ１１によるマイクロコントローラ１の制御や信号制御処理等に必要な各種アプリケーションプログラム等を記憶する。また、信号制御処理におけるタッチ入力データを解析した解析データのデータパターンとこれに対応するコマンドとを記憶する軌跡データテーブルＡ（図３参照）を格納している。本実施の形態では、予めデータパターンとコマンドとが対応付けられてＲＯＭ１３に記憶されているが、ユーザの設定等により任意のデータパターンとコマンドとを対応付けて登録し、ＲＯＭ１３に記憶させる構成としてもよい。
なお、ＲＯＭ１３は、記憶手段としての機能を有する。
【００２６】
ここで、図３の軌跡データテーブルＡについて説明する。既に述べたように、ＣＰＵ１１は、信号制御処理において計時開始信号ｓａをタイマ１４に送出してからタイマ１４より計時終了信号ｓｂを入力されるまでに受信した応答パルス、及びこれと同時にタイマ１４から受信した計時状態信号ｓｃをＲＡＭ１６に記憶する。図３に示すように、この記憶されたデータの入力開始位置がタッチパネル２の表示画面２１の左領域２１Ａ内であり、連続してデータ入力が有り、リリース位置が右領域２１Ｂ内であり、かつリリース状態になってから１秒以上経過した場合は、このタッチ入力によるコマンドは「再生」である。
【００２７】
また、表示画面２１上の領域を問わず、タッチパネル２の１点が入力開始位置であるとともにリリース位置であり、入力開始からリリースまでが２秒間以上の場合は、「停止」である。
【００２８】
また、左領域２１Ａに入力開始位置があり、連続するデータ入力の後に右領域２１Ｂにリリース位置があり、その後、左領域２１Ａに入力開始位置があり、連続するデータ入力の後に右領域２１Ｂにリリース位置があり、かつ、最初の入力開始から最後のリリースまでが２秒間以内の場合は、「曲送り」である。一方、これと左右の領域２１Ａ及び２１Ｂにおいて逆のデータ入力があった場合は、「曲戻し」である。
【００２９】
さらに、左領域２１Ａに入力開始位置があり、連続するデータ入力の後に右領域２１Ｂにリリース位置があり、その後、左領域２１Ａに入力開始位置があり、連続するデータ入力の後に右領域２１Ｂにリリース位置があり、かつ、最初の入力開始から最後のリリース位置到達までが２秒間以内であり、かつ最後のリリース位置にて２秒間以上連続して入力が続いた場合は、「早送り」である。一方、これと左右の領域２１Ａ及び２１Ｂにおいて逆のデータ入力があった場合は、「早戻し」である。
【００３０】
タイマ１４は、ＣＰＵ１１から計時開始信号ｓａを受信すると、この計時開始信号ｓａに従って一定時間計時動作を行い、計時動作を終了すると計時終了を表す計時終了信号ｓｂをＣＰＵ１１に返信する。また、計時状態信号ｓｃをＣＰＵ１１に対して常に送信しており、タイマ１４の計時動作が動作中であるか停止中であるかを通知する。
【００３１】
ＵＡＲＴ１５は、信号制御処理により得られるタッチ入力データのコマンドのデータをＣＰＵ１１から受信し、ＲＳ２３２Ｃドライバ／レシーバ４に出力する。
【００３２】
次に、本発明を適用したタッチパネル入力装置１００の動作を説明する。
図４は、タッチパネル入力装置１００による信号制御処理を示す図である。図４に示すように、タッチパネル入力装置１００のマイクロコントローラ１のＣＰＵ１１は、Ｉ／Ｏポート１２よりドライバ３を介してタッチパネル２に出力パルスを送信し（ステップＳ１）、Ｉ／Ｏポート１２を介してタッチパネル２から応答パルスを受信したか否かを判別する（ステップＳ２）。応答パルスを受信しない場合は（ステップＳ２；ＮＯ）、受信するまで待機し、応答パルスを受信すると（ステップＳ２；ＹＥＳ）、タイマ１４から計時状態信号ｓｃを受信したか否かをさらに判別する（ステップＳ３）。
【００３３】
ＣＰＵ１１は、上記ステップＳ３において、計時状態信号ｓｃを受信すると（ステップＳ３；ＹＥＳ）、計時開始信号ｓａをタイマ１４に送信するとともに、受信した応答パルス及び計時状態信号ｓｃをＲＡＭ１６に記憶し（ステップＳ４）、ステップＳ１に戻る。一方、計時状態信号ｓｃを受信しない場合は（ステップＳ３；ＮＯ）、タイマ１４から計時終了信号ｓｂを受信したか否かをさらに判別し（ステップＳ５）、受信しない場合は（ステップＳ５；ＮＯ）、ステップＳ３に戻る。計時終了信号ｓｂを受信すると（ステップＳ５；ＹＥＳ）、計時終了信号ｓｂを応答パルスとともにＲＡＭ１６に記憶する（ステップＳ６）。
【００３４】
続いて、ＣＰＵ１１は、上記ステップＳ４及びステップＳ６においてＲＡＭ１６に記憶した応答パルス、及び各応答パルスとともに記憶した計時状態信号ｓｃ、計時終了信号ｓｂのデータを解析した後、ＲＯＭ１３に記憶された軌跡データテーブル（図３参照）を参照する（ステップＳ７）。そして、解析された解析データと一致するデータパターン及びこれに対応するコマンドが存在するか否か、即ちデータを認識するか否かを判別する（ステップＳ８）。ここで、解析データが認識されない場合は（ステップＳ８；ＮＯ）、ステップＳ１に戻り、解析データを認識すると（ステップＳ８；ＹＥＳ）、この認識された解析データに対応するコマンドのデータをＵＡＲＴ１５からＲＳ２３２Ｃレシーバ／ドライバ４に送信し（ステップＳ９）、ステップＳ１に戻る。
【００３５】
以上説明したように、上記実施の形態によれば、タッチパネル入力装置１００のマイクロコントローラ１のＣＰＵ１１は、信号制御処理において、Ｉ／Ｏポート１２から、ドライバ３を介してタッチパネル２に出力パルスを送信し、これに対する応答パルスをタッチパネル２から受信すると同時に、タイマ１４から計時状態信号ｓｃまたは計時終了信号ｓｂを受信する。また、ＣＰＵ１１は、応答パルスを受信する毎に、タイマ１４に計時開始信号ｓａを送出する。ＣＰＵ１１は、応答パルス、計時終了信号ｓｂ、及び計時状態信号ｓｃをＲＡＭ１６に記憶し、これらのデータを解析する。これによって得られる解析データを元に、軌跡データテーブルＡを参照し、解析データのデータパターンを認識すると、この解析データをＵＡＲＴ１５からＲＳ２３２Ｃに送信する。
【００３６】
したがって、本発明を適用したタッチパネル入力装置１００によれば、タッチパネル２を目視しなくても簡単なパターンで正確なタッチ入力を行うことが容易になる。特に、運転中には、タッチパネル２を目視せずにカーオーディオ５を操作することができ、運転に支障をきたすことを防止することができる。
【００３７】
また、タッチパネル入力装置１００によれば、タッチパネル２の表示画面２１にコントロールボタンを表示させる必要がないため、表示画面２１上にユーザの好みに合わせた壁紙設定等をすることもでき、ユーザにとっての利便性が向上する。
【００３８】
なお、本発明は、本実施の形態に限定されるものではなく、本発明の趣旨を逸脱しない範囲で適宜変更可能である。例えば、軌跡データテーブルＡに記憶させたデータパターン及びコマンドは、上記実施の形態において説明した内容に限定されない。その他のデータパターン及びこれに対応するコマンドの例を、図５に示す軌跡データテーブルＢに示す。ここでは、カーオーディオ５によりラジオの動作を指示する例を示す。
【００３９】
図５に示すように、タッチパネル２の表示画面２１の右領域２１Ｂの１点が短く（２秒未満）押圧された場合は、「ＴＵＮＥ  ＵＰ」のコマンドが入力されたこととなり、左領域２１Ａの１点が短く（２秒未満）押圧された場合は、「ＴＵＮＥ  ＤＯＷＮ」のコマンドが入力されたことになる。また、領域を問わず１点が２秒間以上長押しされると、「ＳＣＡＮ」のコマンドが入力される。
また、データの入力開始位置が左領域２１Ａ内であり、連続してデータ入力が有り、リリース位置が右領域２１Ｂ内である場合は、「プリセットチャンネル送り」のコマンドが入力され、左領域２１Ａ及び右領域２１Ｂにおいてこれと逆のタッチ入力があった場合には、「プリセットチャンネル戻し」のコマンドが入力される。
【００４０】
また、上記の軌跡データテーブルＡ、Ｂにおいて記憶されるデータパターン及びこれに対応するコマンドは、ユーザにより任意に設定されることとしてもよいし、予めＲＯＭ１３にプログラムとして記憶させてもよい。
【００４１】
また、上記実施の形態では、ＣＤ、ＭＤの再生、ラジオの動作指示を行う例について説明したが、本発明は各種電子機器に適用可能であり、例えばカセットメモリオーディオ等にも同様に適用可能である。
【００４２】
その他、本実施の形態におけるタッチパネル入力装置１００の細部構成、及び詳細動作に関しても、本発明の趣旨を逸脱しない範囲で適宜変更可能である。
【００４３】
【発明の効果】
したがって、本発明によれば、タッチパネルを目視せずに適確な入力を行うことができるタッチパネル入力装置を提供することができる。
【図面の簡単な説明】
【図１】本発明の一実施の形態によるタッチパネル入力装置１００の構成を示す概略ブロック図である。
【図２】タッチパネル入力装置１００の表示画面２１を示す図である。
【図３】図１のＲＯＭ１３に記憶された軌跡データテーブルＡを示す図である。
【図４】図１のＣＰＵ１１による信号制御処理を示すフローチャートである。
【図５】タッチパネル入力装置１００によりカーオーディオ５にラジオの再生処理を行わせた場合の軌跡データテーブルＢを示す図である。
【図６】従来のタッチパネル入力装置の表示画面５１を示す図である。
【符号の説明】
１  マイクロコントローラ
２  タッチパネル
３  ドライバ
４，２０  ＲＳ２３２Ｃドライバ／レシーバ
１１  ＣＰＵ
１２  Ｉ／Ｏポート
１３  ＲＯＭ
１４  タイマ
１５  通信制御部
１６  ＲＡＭ
２１  表示画面
２１Ａ  左領域
２１Ｂ  右領域
３０  ＲＳ２３２Ｃケーブル
５１  表示画面
５２  コントロールボタン
１００  タッチパネル入力装置
【図１】
0003842617.tif 000002
【図２】
0003842617.tif 000003
【図３】
0003842617.tif 000004
【図４】
0003842617.tif 000005
【図５】
0003842617.tif 000006
【図６】
0003842617.tif 000007